(57)【要約】  【課題】オートスキャン機能を備えたＴＶ放送受信装置において、過去に選局可能であったチャンネルが、新たに行われたオートスキャン処理によって、選局できないチャンネルとして取り扱われることを防ぎ、当該受信地で正常に視聴できる可能性のある最大数のチャンネルが選局可能になるようにする。  【解決手段】ＴＶ放送受信装置は、新たなオートスキャン処理時に選局可能なチャンネルとして決定したチャンネルが、過去に作成されたチャンネル情報テーブル５０に存在しない場合は、そのチャンネル番号を選局可能なチャンネルとしてＡＤＤフラグをオンとすると共に有効受信方向を登録し、存在する場合は、有効受信方向情報５３を新たなオートスキャン処理時に取得したデータに更新（上書き）する。新たなオートスキャン処理時に選局不可とされたチャンネルについても、過去に作成されたチャンネル情報テーブルに存在するチャンネルは削除しない。【選択図】  図４
2006157334.tif 000002
【特許請求の範囲】
【請求項１】
複数の受信方向を有する多指向性アンテナの受信するチャンネルを、チャンネル登録時に順次切替えて設定するチャンネル切替手段と、
前記チャンネル切替手段によって切替えられたチャンネルごとに前記多指向性アンテナの受信方向を順次切替えて設定する受信方向切替手段と、
前記受信方向切替手段によって切替えられた受信方向ごとのテレビジョン放送信号の受信状態に基づいて、当該チャンネルが選局可能なチャンネルか否か、及び良好な受信状態が得られる受信方向を決定するチャンネル情報決定手段と、
前記チャンネル情報決定手段によって決定された、選局可能なチャンネルのチャンネル番号と、そのチャンネルについての良好な受信状態が得られる受信方向を、チャンネル情報テーブルとして作成し、記憶するチャンネル情報テーブル作成記憶手段（以下、記憶手段という）と、
を備えたテレビジョン放送信号を受信するテレビジョン放送受信装置において、
前記チャンネル情報決定手段が、選局可能なチャンネルか否かを、テレビジョン放送信号の受信強度が所定の強度以上か否か、及びサブチャンネル数が所定数以下か否かを基準にして決定する選局可能チャンネル検出手段と、前記受信方向切替手段によって切替えられた受信方向ごとのテレビジョン放送信号の受信強度の比較に基づいて良好な受信状態が得られる受信方向（以下、有効受信方向という）を決定する有効受信方向決定手段とを含み、
前記記憶手段は、前記選局可能チャンネル検出手段によって決定された選局可能なチャンネルのチャンネル番号が、過去に作成したチャンネル情報テーブル内に存在しない場合には、当該チャンネル番号と、そのチャンネルについての前記有効受信方向をチャンネル情報テーブルに追加し、前記選局可能チャンネル検出手段によって決定された選局可能なチャンネルのチャンネル番号が、過去に作成したチャンネル情報テーブル内に存在する場合には、そのチャンネルについての前記有効受信方向を、過去に作成したチャンネル情報テーブルに上書きすることを特徴とするテレビジョン放送受信装置。
【請求項２】
複数の受信方向を有する多指向性アンテナの受信するチャンネルを、チャンネル登録時に順次切替えて設定するチャンネル切替手段と、
前記チャンネル切替手段によって切替えられたチャンネルごとに前記多指向性アンテナの受信方向を順次切替えて設定する受信方向切替手段と、
前記受信方向切替手段によって切替えられた受信方向ごとのテレビジョン放送信号の受信状態に基づいて、当該チャンネルが選局可能なチャンネルか否か、及び良好な受信状態が得られる受信方向を決定するチャンネル情報決定手段と、
前記チャンネル情報決定手段によって決定された、選局可能なチャンネルのチャンネル番号と、そのチャンネルについての良好な受信状態が得られる受信方向を、チャンネル情報テーブルとして作成し、記憶するチャンネル情報テーブル作成記憶手段（以下、記憶手段という）と、
を備えたテレビジョン放送信号を受信するテレビジョン放送受信装置において、
前記記憶手段は、前記チャンネル情報決定手段によって決定された選局可能なチャンネルのチャンネル番号が、過去に作成したチャンネル情報テーブル内に存在しない場合には、当該チャンネル番号と、そのチャンネルについての良好な受信状態が得られる受信方向をチャンネル情報テーブルに追加し、前記チャンネル情報決定手段によって決定された選局可能なチャンネルのチャンネル番号が、過去に作成したチャンネル情報テーブル内に存在する場合には、そのチャンネルについての良好な受信状態が得られる受信方向を、過去に作成したチャンネル情報テーブルに上書きすることを特徴とするテレビジョン放送受信装置。
【請求項３】
前記チャンネル情報決定手段は、サブチャンネル数が所定数以下か否かを基準にして選局可能なチャンネルを決定する請求項２に記載のテレビジョン放送受信装置。
【発明の詳細な説明】
【技術分野】
【０００１】
本発明は、テレビジョン放送受信装置に関し、さらに詳しくは、異なった多方向にある放送局からの放送電波を受信することができるテレビジョン放送受信装置に関する。
【背景技術】
【０００２】
複数の受信方向を有する多指向性アンテナが接続され、北米大陸におけるような多数の放送局（電波発信塔）が受信地の周囲に散在しているテレビジョン放送受信環境でも、それら各放送局からのテレビジョン放送を、受信方向を切替えて受信できるテレビジョン放送受信装置がある。
【０００３】
このテレビジョン放送受信装置では、通常、購入後の最初の視聴前にチャンネル登録を行う。つまり、その受信地域で受信可能な最大限のチャンネル（受信周波数）が、予めテレビジョン放送受信装置に記憶させてあるので、テレビジョン放送受信装置は、チャンネル登録モードになると、自動的にそれらのチャンネルを順次切替え、かつ、各チャンネルごとに、接続されている多指向性アンテナの受信方向を切替える。そして、各チャンネルごとに良好な受信状態が得られるアンテナ受信方向を、受信方向ごとの受信強度の比較等に基づいて決定し、その受信方向（有効受信方向）をチャンネルに対応付けたチャンネル情報テーブルとして記憶する。以下、この機能をオートスキャン機能と言う。
【０００４】
そして、通常視聴時のユーザによる選局操作の時には、チャンネル登録時に作成されたチャンネル情報テーブルを参照して、ユーザが指示したチャンネルに対応する受信方向が有効とされ、良好な受信状態が得られる。
【０００５】
一方、車載用のテレビジョン放送受信装置では、受信場所が移動するので、受信可能な放送局が移動に伴って変化する。その変化する放送局を確実に設定できるようにするために、緯度、経度の位置に従った受信可能な放送局の情報を予めテーブルとして備えておき、車載したＧＰＳ受信機により取得した位置データから上記テーブルを参照して、現在位置で受信可能な放送局のデータを獲得し、そのデータに基づいてオートスキャン機能を行って現在位置で受信可能なチャンネルを取りこぼしなく設定できる技術が知られている（特許文献１参照）。
【特許文献１】特開平８−９７６８０号公報
【発明の開示】
【発明が解決しようとする課題】
【０００６】
ところで、テレビジョン放送では、時間帯によってテレビジョン放送信号（地上波）の電波強度が変化したり、場合によっては放送が中断する時間帯がある。そのため、据置き型の家庭用テレビジョン放送受信装置にあっても、受信できるチャンネルが、時間帯によって変動することがある。例えば、ある放送局が深夜の時間帯は放送していない場合に、前述のチャンネル登録を偶々その深夜時間帯に行うと、その放送局からのチャンネルは、放送自体は存在するにも関わらず、チャンネル情報テーブルに記憶されないことになってしまう。つまり、その放送局からの放送チャンネルは、通常選局時に選べなくなってしまう不具合となる。この不具合を防止するために、一般的に放送中断時間帯ではない日中の午後にチャンネル登録を行うことが考えられるが、その場合でも、放送信号の電波強度が弱い山間部等では、偶々ある放送局からの電波が弱くなった時間帯にチャンネル登録を行うと、その放送局からのチャンネルがチャンネル情報テーブルに記憶されないことになってしまう。
【０００７】
不具合の典型例としては、次のようなものがある。例えば受信地の周囲にＡ、Ｂ、Ｃの３つの放送局があるとして、最初のチャンネル登録時には、ＡとＢの２つの放送局からの放送が有効な受信強度で受信でき、チャンネル情報テーブルとして記憶されたが、放送局Ｃからの受信強度が弱く、放送局Ｃについてはチャンネル情報テーブルに記憶されなかった場合を想定すると、ユーザは、放送局Ｃからのチャンネルを視聴希望するので、別の時間帯で再度チャンネル登録を行う。ところが、従来のテレビジョン放送受信装置では、チャンネル登録時に作成するチャンネル情報テーブルは、その都度新しく作成されるので、再度のチャンネル登録時に、偶々放送局Ａからの受信強度が弱かった場合には、ＢとＣの放送局についてはチャンネル情報テーブルに記憶されるが、放送局Ａについての登録（記憶）がなされず、放送局Ａからのチャンネルが欠落したチャンネル情報テーブルになってしまう。
【０００８】
なお、上記不具合を避けるために、過去に作成されたチャンネル情報テーブルを、最新のチャンネル登録時に全面的に抹消するのではなく、例えば、過去のチャンネル登録時に、選局可能なチャンネルとしてチャンネル情報テーブルに一旦登録されたチャンネルについては、そのデータ（有効受信方向）をそのまま利用することが考えられるが、その場合には次の問題が生じる。
【０００９】
すなわち、テレビジョン放送では、時間帯によって電波強度が変化するのと同様に、電波の到来方向についても経時的に変化する場合がある。例えば、受信地の周囲に新たに建設中のビルの影響によって有効受信方向が変化する場合等である。この場合には、最新のチャンネル登録時に決定された有効受信方向の方が、過去のチャンネル登録時の有効受信方向より良い受信状態が得られることが明らかである。ところが、上述のように、過去のチャンネル登録時に選局可能なチャンネルとされたチャンネルについては、その過去のデータ（有効受信方向）をそのまま利用するといった単純な方法では、チャンネル登録時に行うオートスキャン機能を生かし切れず、当該チャンネルについては、ユーザは、最良の受信状態での視聴ができなくなってしまう問題がある。
【００１０】
本発明は、上記の事情に鑑みて創案されたものであり、多方向からの放送電波を受信することができるテレビジョン放送受信装置において、電波の状態がチャンネル登録時によって変わっても、過去に選局可能であったチャンネルが、新たに行われたチャンネル登録によって、選局できないチャンネルとなってしまうことがなく、また、過去に選局可能であったチャンネルについても、その有効受信方向を、最新のチャンネル登録時に決定された有効受信方向に更新できるようにして、ユーザは、その受信地において正常に視聴できる可能性のある最大数のチャンネルが選局可能であって、かつ、選局可能となった全てのチャンネルについて、その時点で最良の受信状態での視聴ができるテレビジョン放送受信装置を提供することを目的とする。
【課題を解決するための手段】
【００１１】
上記目的を達成するための請求項１の発明は、複数の受信方向を有する多指向性アンテナの受信するチャンネルを、チャンネル登録時に順次切替えて設定するチャンネル切替手段と、前記チャンネル切替手段によって切替えられたチャンネルごとに前記多指向性アンテナの受信方向を順次切替えて設定する受信方向切替手段と、前記受信方向切替手段によって切替えられた受信方向ごとのテレビジョン放送信号の受信状態に基づいて、当該チャンネルが選局可能なチャンネルか否か、及び良好な受信状態が得られる受信方向を決定するチャンネル情報決定手段と、前記チャンネル情報決定手段によって決定された、選局可能なチャンネルのチャンネル番号と、そのチャンネルについての良好な受信状態が得られる受信方向を、チャンネル情報テーブルとして作成し、記憶するチャンネル情報テーブル作成記憶手段（以下、記憶手段という）と、を備えたテレビジョン放送信号を受信するテレビジョン放送受信装置において、前記チャンネル情報決定手段が、選局可能なチャンネルか否かを、テレビジョン放送信号の受信強度が所定の強度以上か否か、及びサブチャンネル数が所定数以下か否かを基準にして決定する選局可能チャンネル検出手段と、前記受信方向切替手段によって切替えられた受信方向ごとのテレビジョン放送信号の受信強度の比較に基づいて良好な受信状態が得られる受信方向（以下、有効受信方向という）を決定する有効受信方向決定手段とを含み、前記記憶手段は、前記選局可能チャンネル検出手段によって決定された選局可能なチャンネルのチャンネル番号が、過去に作成したチャンネル情報テーブル内に存在しない場合には、当該チャンネル番号と、そのチャンネルについての前記有効受信方向をチャンネル情報テーブルに追加し、前記選局可能チャンネル検出手段によって決定された選局可能なチャンネルのチャンネル番号が、過去に作成したチャンネル情報テーブル内に存在する場合には、そのチャンネルについての前記有効受信方向を、過去に作成したチャンネル情報テーブルに上書きすることを特徴とする。
【００１２】
請求項２の発明は、複数の受信方向を有する多指向性アンテナの受信するチャンネルを、チャンネル登録時に順次切替えて設定するチャンネル切替手段と、前記チャンネル切替手段によって切替えられたチャンネルごとに前記多指向性アンテナの受信方向を順次切替えて設定する受信方向切替手段と、前記受信方向切替手段によって切替えられた受信方向ごとのテレビジョン放送信号の受信状態に基づいて、当該チャンネルが選局可能なチャンネルか否か、及び良好な受信状態が得られる受信方向を決定するチャンネル情報決定手段と、前記チャンネル情報決定手段によって決定された、選局可能なチャンネルのチャンネル番号と、そのチャンネルについての良好な受信状態が得られる受信方向を、チャンネル情報テーブルとして作成し、記憶するチャンネル情報テーブル作成記憶手段（以下、記憶手段という）と、を備えたテレビジョン放送信号を受信するテレビジョン放送受信装置において、前記記憶手段は、前記チャンネル情報決定手段によって決定された選局可能なチャンネルのチャンネル番号が、過去に作成したチャンネル情報テーブル内に存在しない場合には、当該チャンネル番号と、そのチャンネルについての良好な受信状態が得られる受信方向をチャンネル情報テーブルに追加し、前記チャンネル情報決定手段によって決定された選局可能なチャンネルのチャンネル番号が、過去に作成したチャンネル情報テーブル内に存在する場合には、そのチャンネルについての良好な受信状態が得られる受信方向を、過去に作成したチャンネル情報テーブルに上書きすることを特徴とする。
【００１３】
請求項３の発明は、請求項２に記載の発明において、前記チャンネル情報決定手段が、サブチャンネル数が所定数以下か否かを基準にして選局可能なチャンネルを決定することを特徴とする。
【発明の効果】
【００１４】
本発明によれば、多方向からの放送電波を受信することができるテレビジョン放送受信装置において、電波の状態がチャンネル登録時によって変わっても、過去に選局可能であったチャンネルが、新たに行われたチャンネル登録によって、選局できないチャンネルとなってしまうことがなく、また、過去に選局可能であったチャンネルについても、その有効受信方向を最新のチャンネル登録時に決定された有効受信方向に更新できる。したがって、ユーザは、当該受信地で正常に視聴できる可能性のある最大数のチャンネルが選局可能であって、かつ、選局可能となった全てのチャンネルについて、その時点で最良の受信状態での視聴ができる。
【発明を実施するための最良の形態】
【００１５】
本発明の一実施形態に係るテレビジョン（ＴＶ）放送受信装置について説明する。図１に示されるＴＶ放送受信装置１は、地上波伝送方式により所定周波数帯域で配信されてくるディジタルテレビジョン放送信号（以下、単にＴＶ放送信号という）を、多指向性アンテナ２を介して受信し、各チャンネルのＴＶ放送信号に含まれるＴＶ番組の映像及び音声を再生してモニタ装置３に出力する装置である。多指向性アンテナ２は、アンテナ本体２１とアンテナコントローラ２２から構成され、アンテナコントローラ２２によって、アンテナ本体２１の受信方向が切替えられる。アンテナコントローラ２２は、モジュラー端子１７を介して後述する制御部１５に接続され、制御部１５からの制御信号によって制御される。
【００１６】
ＴＶ放送受信装置１は、ＴＶ放送信号を受信するチューナ１１、チューナ１１で受信したＴＶ放送信号に対して所定の信号処理を行い、復号化するフロントエンド１２、ＭＰＥＧ圧縮されていたＴＶ放送信号をデコードするＭＰＥＧデコーダ１３、デコードされたＴＶ放送信号に所定の表示画像を重畳させるオンスクリーンディスプレイ（ＯＳＤ）部１４、チューナ１１に対して選局するチャンネルを指示するための制御信号を出力すると共に、ＴＶ放送受信装置１全体を制御する制御部１５、及びチャンネル情報テーブル（後に詳述）を記憶するメモリ（チャンネル情報テーブル記憶手段）１６等で構成されている。
【００１７】
制御部１５は、制御信号を出力することによりチューナ１１を制御してＴＶ放送信号の検出処理を実行する。検出されたＴＶ放送信号は、フロントエンド１２で誤り訂正等されることにより正常に受信できたか否か解析され、ＭＰＥＧデコーダ１３でデコードされる。ＭＰＥＧデコーダ１３でデコードされたＴＶ放送信号は、オンスクリーンディスプレイ部１４を介してモニタ装置３に出力され、表示される。なお、制御部１５は、後述するオートスキャン処理を実行することにより、チャンネル切替手段、受信方向切替手段、チャンネル情報決定手段、チャンネル情報テーブル作成記憶手段、選局可能チャンネル検出手段及び有効受信方向決定手段として機能する。
【００１８】
次に、多指向性アンテナ２について、図２を参照して説明する。本実施形態の多指向性アンテナ２は１６方向に切替可能な受信方向を備えており、アンテナコントローラ２２によって有効な受信方向を切替えられる。例えば、２チャンネルの放送電波の到来方向が図２の矢印方向であるとすると、多指向性アンテナ２のＤ０１の受信方向を有効とすれば、当該２チャンネルの放送電波を最も良好に受信できる。この時、受信方向Ｄ０１における放送受信時の受信強度が最大になっており、受信方向Ｄ０２あるいはＤ１６を有効として受信した場合の受信強度はそれよりも小さく、良好な受信状態が得られず、モニタ装置３に表示される画像は有効受信方向をＤ０１とした時よりも不良なものである。
【００１９】
次に、図４（ａ）を参照して、メモリ１６に記憶されるチャンネル情報テーブル５０について説明する。チャンネル情報テーブル５０は、チャンネル番号５１に対応して、これら各チャンネルが選局可能なチャンネルとして登録されているか否かを示すＡＤＤフラグ情報５２と、オートスキャン機能を実行することによって決定される有効受信方向情報５３を含んでいる。なお、あるチャンネルが選局可能なチャンネルとして登録されている状態をＡＤＤフラグがオン状態であると表現し、図４（ａ）のチャンネル情報テーブル５０において”○”印で示されている。したがって、図４（ａ）のテーブルにおいて、”○”印が付されていないチャンネルは、選局不能なチャンネルであって、ＡＤＤフラグがオフ状態であると表現する。また、各チャンネルについて、ＡＤＤフラグをオンとするか、オフとするか、つまり、選局可能なチャンネルとするか否かについても、オートスキャン機能を実行することにより判断される。
【００２０】
また、制御部１５は、チャンネル登録後に、ユーザによってチャンネルの選局操作がされた際に、メモリ１６からチャンネル情報テーブル５０を読み出し、ＡＤＤフラグ情報５２に基づいて、選局可能なチャンネルとして登録されているチャンネルについてのみ選局処理を実行する。
【００２１】
次に、図３のフローチャートを参照して、全てのチャンネルをスキャンして、選局可能なチャンネルを検出し、チャンネル情報テーブル５０の内容を更新するオートスキャン処理について説明する。制御部１５は、ユーザによりチャンネル登録が指示されると、まず、スキャン処理後の表示用のアップデートチャンネルカウンタ（ｕｐｄａｔｅ＿ｃｈ）と追加チャンネルカウンタ（ａｄｄ＿ｃｈ）の初期値を”０”に設定する（Ｓ１）。次に、オートスキャンを開始するチャンネルＸの初期値として”２”を設定し、スキャンを終了するチャンネルＸｍａｘとして”６９”を設定する（Ｓ２）。そして、制御部１５はチューナ１１を、チャンネルＸを受信する状態とした上で、アンテナコントローラ２２に制御信号を送信し、多指向性アンテナ２を１６の受信方向において順に有効とし、放送を受信する（Ｓ３）。つまり、本実施形態の場合は、多指向性アンテナ２が、その有効受信方向をＤ０１からＤ１６へと順に切替えられ、各受信方向における受信強度等を計測される。その結果、いずれの受信方向においても放送を検出できなかった場合（Ｓ４においてＮＯ）は、チャンネルＸがチャンネルＸｍａｘに到達しているか否かを判断し（Ｓ１１）、到達していなければ（Ｓ１１においてＹＥＳ）、チャンネルＸに”１”を加算した上で（Ｓ１２）再びステップＳ３に戻る。
【００２２】
ステップＳ３における処理の結果、いずれかの受信方向で放送が検出された（受信強度が所定の閾値よりも大）場合（Ｓ４においてＹＥＳ）、制御部１５は、その受信方向の中から、次に示す基準に基づいて有効受信方向（最も良好な受信状態が得られる受信方向）を決定し、受信した放送データそのものについても次に示す基準に基づいて解析し、放送データが正常であるか否かを検出する（Ｓ５）。つまり、制御部１５は、多指向性アンテナ２が１６の受信方向を順に切替えた時の、それぞれの受信強度を一時的に記憶し、それらの受信強度を比較して、その中で一番大きな値の受信強度を得た受信方向を有効受信方向とする。また、制御部１５は、受信した放送データに含まれるサブチャンネル数情報を抽出し、サブチャンネル数が”９９”以下か否かを判断して、サブチャンネル数が”９９”以下である場合は正常な放送であり、超える場合は正常ではない放送であると判断する。さらに、放送データが正常であるか否かの判断基準として、放送データに含まれるオーディオ、ビデオデータが（規格外である等の理由により）正常にデコードできない場合も、正常な放送でないとするようにしてもよい。このステップＳ５における放送データの解析は、他にも種々の方法によって可能である。
【００２３】
そして、ステップＳ５における解析の結果、当該放送（チャンネル）が正常ではないと判断された場合（Ｓ６においてＮＯ）、チャンネルＸがチャンネルＸｍａｘに到達しているか否かを判断し（Ｓ１１）、到達していなければ（Ｓ１１においてＹＥＳ）、チャンネルＸに”１”を加算した上で（Ｓ１２）再びステップＳ３に戻る。つまり、当該チャンネルについては、受信強度が所定の閾値以上であっても、不正な放送あるいは単なるテスト放送であるので、選局可能なチャンネルではなく、選局不可とし、これをチャンネル情報テーブル５０への登録は行わない。
【００２４】
ステップＳ５における解析の結果、当該放送（チャンネル）が正常であると判断された場合に（Ｓ６においてＹＥＳ）、初めてそのチャンネルについて、選局可能なチャンネルであるとしてチャンネル情報テーブル５０への登録又は更新が行われる（Ｓ７）。チャンネル情報テーブル５０への登録又は更新は、当該チャンネルが、過去に作成されたチャンネル情報テーブル５０において選局可能なチャンネルとして登録（記憶）されているか否かによって処理が異なる。つまり、当該チャンネルが、過去に作成されたチャンネル情報テーブル５０内に（選局可能なチャンネルとして）存在しない場合には、そのまま追加登録され、過去に作成されたチャンネル情報テーブル５０内に（選局可能なチャンネルとして）既に存在する場合には、当該チャンネルに関する有効受信方向情報５３が、新たに行ったオートスキャン処理において得られた有効受信方向に書換えられる（上書きされる）。
【００２５】
これをさらに、図４のチャンネル情報テーブル５０に基づいて具体的に説明する。つまり、今、図４（ａ）に示すチャンネル情報テーブル５０（以下、元チャンネル情報テーブルという）が過去のチャンネル登録時に作成されたものであり、新たにオートスキャン処理を行った結果取得したチャンネル情報が、図５に示す内容であったとする。まず、２チャンネルのスキャン処理の結果、２チャンネルは選局可能なチャンネルであって、有効受信方向がＤ０６であると決定されたとする。ここで元チャンネル情報テーブル５０を参照すると、２チャンネルは、既に選局可能なチャンネルとして登録されている（ＡＤＤフラグがオン）ので、２チャンネルに関する有効受信方向情報５３が”Ｄ０５”から”Ｄ０６”に書換えられる（図４（ｂ）に更新後のチャンネル情報テーブル５０を示す。以下、これを新チャンネル情報テーブルという）。３チャンネルと４チャンネルのスキャン処理の結果は、共に選局可能なチャンネルではなかったとすると、元チャンネル情報テーブル５０の内容は、そのまま残される。５チャンネルのスキャン処理の結果は、選局可能であって、有効受信方向がＤ１４であると決定されたとすると、元チャンネル情報テーブル５０には、５チャンネルは選局可能チャンネルとしては存在しないので、５チャンネルについて、ＡＤＤフラグ情報５２に選局可能なチャンネルであるという情報（ＡＤＤフラグがオンになる）が追加され、有効受信方向情報５３に有効受信方向”Ｄ１４”が追加される。
【００２６】
同様に、６チャンネルのスキャン処理の結果は、選局可能であって、有効受信方向がＤ０３であると決定されたとすると、６チャンネルは、元チャンネル情報テーブル５０に既に選局可能なチャンネルとして存在するので、有効受信方向が”Ｄ０３”から”Ｄ０３”に書換えられる（データが同一であるので、表面上は書換えられたように見えない）。６９チャンネルのスキャン処理の結果は、選局可能なチャンネルではなかったとすると、元チャンネル情報テーブル５０の内容は、そのまま残される。
【００２７】
上述の例であれば、過去のチャンネル登録時には、選局可能とされた４チャンネルと６９チャンネルについて、新たなチャンネル登録時には、選局可能ではないと判断されたが、元チャンネル情報テーブル５０上から削除されることはない（ＡＤＤフラグがオフとされることがなく、有効受信方向のデータもそのまま残る）。また、逆に元チャンネル情報テーブル５０には登録がない５チャンネルについては、新たなチャンネル登録時に選局可能と判断されたので、そのデータがチャンネル情報テーブル５０に追加される。２チャンネルと６チャンネルについては、新たなチャンネル登録時に選局可能と決定されるが、元チャンネル情報テーブル５０に、既に選局可能チャンネルとして登録されている（ＡＤＤフラグがオンとされている）ので、元チャンネル情報テーブル５０の有効受信方向情報５３のデータを新たに取得したデータに上書きをする。
【００２８】
以上のように、ステップＳ６において選局が可能とされたチャンネルについて、元チャンネル情報テーブル５０に（選局可能なチャンネルとして）存在するか否かで、新たに取得した情報を元チャンネル情報テーブル５０へ記憶（追加登録又は更新）する形式が異なる。そのために、チャンネルを追加登録又は更新した旨をユーザに整理して報知するための基礎データとなる、前述のアップデートチャンネルカウンタ（ｕｐｄａｔｅ＿ｃｈ）と追加チャンネルカウンタ（ａｄｄ＿ｃｈ）が次のようにして更新される。
【００２９】
再び図３のフローチャートに戻って説明をする。つまり、新たに選局可能とされたチャンネルが、元チャンネル情報テーブル５０に存在する場合（例えば、前述の例では２チャンネルと６チャンネル）、そのチャンネルは、既登録チャンネルであるので（Ｓ８においてＹＥＳ）、アップデートチャンネルカウンタが”１”加算される（Ｓ９）。新たに選局可能なチャンネルとされたチャンネルが、元チャンネル情報テーブル５０に存在しない場合（例えば、前述の例では５チャンネル）、そのチャンネルは、既登録チャンネルではないので（Ｓ８においてＮＯ）、追加チャンネルカウンタが”１”加算される（Ｓ１０）。
【００３０】
そして、チャンネルＸがチャンネルＸｍａｘに到達しているか否かを判断し（Ｓ１１）、到達していなければ（Ｓ１１においてＹＥＳ）、チャンネルＸに”１”を加算した上で（Ｓ１２）再びステップＳ３に戻り、到達していれば（Ｓ１１においてＮＯ）、追加チャンネルカウンタとアップデートチャンネルカウンタの値に基づいて、次のとおりの仕方でモニタ装置にＯＳＤ表示される。
【００３１】
つまり、スキャン処理が全てのチャンネル（２チャンネルから６９チャンネルまで）に亘って終了した後、追加チャンネルカウンタがゼロよりも大きい値であれば（Ｓ１３においてＹＥＳ）、モニタ装置３に「チャンネルサーチ終了  追加チャンネルあり」等の、追加チャンネルがあった旨を示すメッセージを表示する（Ｓ１５）。追加チャンネルカウンタがゼロであって（Ｓ１３においてＮＯ）、アップデートチャンネルカウンタがゼロよりも大きい値であれば（Ｓ１４においてＹＥＳ）、モニタ装置３に「チャンネルサーチ終了  チャンネル情報更新」等の、いずれかのチャンネルにおいて有効受信方向が変更された旨を示すメッセージを表示する（Ｓ１６）。アップデートチャンネルカウンタがゼロであれば（Ｓ１４においてＮＯ）、モニタ装置３に「チャンネルの追加、情報の更新なし」等の、選局可能なチャンネル数に変化がなく、有効受信方向についても変更なしを示すメッセージを表示する（Ｓ１７）。ユーザは、モニタ装置３に表示された上記メッセージによって、新たに行ったチャンネル登録（オートスキャン処理）の結果の大略を知ることができる。
【００３２】
以上のオートスキャン処理により、図４（ａ）に例示したチャンネル情報テーブル５０が、図４（ｂ）に示したチャンネル情報テーブル５０へと更新される。つまり、過去のチャンネル登録時に作成された元チャンネル情報テーブル５０では、２チャンネル、４チャンネル、６チャンネル及び６９チャンネルが選局可能なチャンネルとして登録され（ＡＤＤフラグがオンとされ）、それぞれ有効受信方向が記憶されていた。そして、新たなチャンネル登録時のオートスキャン処理では、２チャンネル、５チャンネル及び６チャンネルだけが選局可能と決定され、それぞれについて有効受信方向が決定された。したがって、５チャンネルについては、元チャンネル情報テーブル５０に存在しないので、当該５チャンネルが選局可能（ＡＤＤフラグがオン）とされ、有効受信方向として”Ｄ１４”が記憶され、２チャンネルと６チャンネルについては、既に選局可能チャンネルとして登録されているので、有効受信方向が、それぞれ新たに取得した有効受信方向へと上書きされる。新たなチャンネル登録時に選局不可となった３チャンネル、４チャンネル及び６９チャンネルについては、元チャンネル情報テーブル５０の記憶内容は変更されずに残る。したがって、ユーザは、通常選局時に、直近のチャンネル登録時には選局不可であった、４チャンネルと６９チャンネルについても選局することができる。また、２チャンネルについては、有効受信方向が変更されたことになるが、直近のオートスキャン処理によって取得したデータであるので、より良好な受信状態で視聴することができる。
【００３３】
また、ユーザは、新たに行ったチャンネル登録（オートスキャン処理）後に、モニタ装置３に表示されるメッセージを視認することにより、追加チャンネルの有無や、チャンネル情報の更新の有無を把握することができる。
【００３４】
なお、本発明は上記実施形態の構成に限られることなく種々の変形が可能である。例え
ば、ＴＶ放送受信装置１が受信できるＴＶ放送信号は、ディジタルテレビジョン放送信号
に限られずアナログテレビジョン放送信号であってもよい。また、オートスキャン処理後のモニタ装置３への表示出力に、追加されたチャンネルのチャンネル数やチャンネル番号、チャンネル情報を更新したチャンネル数やチャンネル番号を表示するようにしてもよく、音声出力等であってもよい。
【図面の簡単な説明】
【００３５】
【図１】本発明の実施形態に係るＴＶ放送受信装置の構成を示すブロック図。
【図２】多指向性アンテナの受信方向とＴＶ放送信号電波到来方向の一例を示す図。
【図３】上記実施形態に係るＴＶ放送受信装置によるオートスキャン処理を示すフローチャート。
【図４】チャンネル情報テーブルを示す図であって、（ａ）は過去のオートスキャン処理によって作成されたチャンネル情報テーブルを示す図、（ｂ）は新たなオートスキャン処理によって更新されたチャンネル情報テーブルを示す図。
【図５】新たなオートスキャン処理時に取得したチャンネル情報を示す図。
【符号の説明】
【００３６】
１  テレビジョン放送受信装置
２  多指向性アンテナ
１５  制御部（チャンネル切替手段、受信方向切替手段、チャンネル情報決定手段、チャンネル情報テーブル作成記憶手段、選局可能チャンネル検出手段、有効受信方向決定手段）
１６  メモリ
５０  チャンネル情報テーブル
５１  チャンネル番号
５２  ＡＤＤフラグ情報
５３  有効受信方向情報
【図１】
2006157334.tif 000003
【図２】
2006157334.tif 000004
【図３】
2006157334.tif 000005
【図４】
2006157334.tif 000006
【図５】
2006157334.tif 000007